(57)【要約】【課題】この考案は、トイレットペーパーホルダーにディスプレイを表示する広告面を設置して、用を足す者に広告を見せ、広告効果を向上させることを目的としたものである。【解決手段】この考案は、女性トイレのトイレットペーパーホルダーの上部へ、ディスプレイ装置の広告面を設置し、前記トイレ内へ人の入室を感知して広告の送信を指示するセンサーを設置したことを特徴とするトイレ内広告装置により、目的を達成した。【選択図】図１
0003149818.tif 000002
【実用新案登録請求の範囲】
【請求項１】
トイレットペーパーホルダーへ、ディスプレイ装置の広告面を設置し、トイレ内へ人の入室を感知して広告の送信を指示するセンサーを設置したことを特徴とするトイレ内広告装置。
【請求項２】
女性トイレのトイレットペーパーホルダーの上部へディスプレイ装置の広告面を傾斜して設置し、前記トイレ内へ人の入室を感知して広告の送信を指示するセンサーを設置したことを特徴とするトイレ内広告装置。
【請求項３】
女性トイレのトイレットペーパーホルダーの上部へディスプレイ装置の広告面を傾動可能に設置し、前記トイレ内へ人の入室を感知して広告の送信を指示するセンサーを設置したことを特徴とするトイレ内広告装置。
【請求項４】
女性トイレのトイレットペーパーホルダーの上部へディスプレイ装置の広告面を傾動可能に設置し、前記トイレ内へ人の入室を感知して広告の送信を指示するセンサーを設置すると共に、動画の一時停止ボタンを設けたことを特徴とするトイレ内広告装置。
【請求項５】
広告は、インターネット又はサーバーを介して各ディスプレイに送信されることを特徴とした請求項１乃至４記載のトイレ内広告装置。
【請求項６】
トイレットペーパーホルダー本体の上部にディスプレイ装置の広告面を設置し、下部にトイレットペーパー収容室を設けたことを特徴とするトイレットペーパーホルダー。
【請求項７】
トイレットペーパーホルダー本体の上部にディスプレイ装置の広告面及び人の入室を感知するセンサーを設置し、下部にトイレットペーパー収容室を設けたことを特徴とするトイレットペーパーホルダー。
【考案の詳細な説明】
【技術分野】
【０００１】
この考案はトイレ内、特に女性トイレに広告表示画面を設け、予め定めた広告を、人の入っている間だけ表示することを目的としたトイレ内広告装置及びトイレットペーパーホルダーに関する。
【背景技術】
【０００２】
従来トイレ内広告については、トイレ、公衆便所または洗面台に、使用者の視界内に広告手段を設ける発明が開示されている。また便器の蓋又は貯水タンクの外壁に広告装置をつける提案もあり、又は出水擬音とその映像を映す装置も提案されている。
【先行技術文献】
【特許文献】
【０００３】
【特許文献１】特開２００１−１１９２０号公報
【特許文献２】特表２００３−５１７１５９号公報
【特許文献３】特開２００５−１４１１３５号公報
【考案の概要】
【考案が解決しようとする課題】
【０００４】
前記従来のトイレ内広告については、ディスプレイの設置場所及び内容の選定が不十分の為に必ずしも広告効果が上がっているとは言えなかった。例えば男子小便器の上部にディスプレイをつけたり（特許文献２）又は便器の蓋裏にディスプレイをつけたり（特許文献３）、トイレブース内壁へ映像を映す提案もある（特許文献１）。
【０００５】
前記男子小便器の上部にディスプレイを付けても、直視するのは比較的短時間の場合が多いのみならず、視線を下向きにしなければならない問題点がある。
【０００６】
また便器の蓋裏につけた場合には殆ど見ることがないか、視線を向けるのは極めて短時間となる。また貯水タンクの側壁或いはトイレブースの内壁にディスプレイを設けた場合にも、用を足す者がきわめて見にくい問題点があった。
【課題を解決するための手段】
【０００７】
この考案は、トイレットペーパーホルダーの上部へディスプレイ面を設けたので、必ず視線が向けられる場所であり、かつディスプレイ面を工夫すれば、使用者に見易く、特別の配慮をすることなく、自然に広告を見得る位置になる。更にディスプレイ面をトイレ使用者側に向けることにより、ディスプレイを一層見易くすることができるなど、従来の問題点を悉く解決したのである。
【０００８】
この考案は、実施を女性トイレに限定すれば、広告の種類を厳選し、かつ対象（年齢制限、例えば１２才〜４５才）を制限することにより、視認確立が著しく向上すると共に、広告効果の改善を図ることができる。特に広告対象を必要頻度の高い商品、例えば生理用品、化粧品、服飾品などに絞ることによって、更に効率のよい広告を実現することができる。
【０００９】
即ちこの考案は、トイレットペーパーホルダーへ、ディスプレイ装置の広告面を設置し、トイレ内へ人の入室を感知して広告の送信を指示するセンサーを設置したことを特徴とするトイレ内広告装置であり、女性トイレのトイレットペーパーホルダーの上部へディスプレイ装置の広告面を傾斜して設置し、前記トイレ内へ人の入室を感知して広告の送信を指示するセンサーを設置したことを特徴とするトイレ内広告装置である。
【００１０】
また、女性トイレのトイレットペーパーホルダーの上部へディスプレイ装置の広告面を傾動可能に設置し、前記トイレ内へ人の入室を感知して広告の送信を指示するセンサーを設置したことを特徴とするトイレ内広告装置であり、女性トイレのトイレットペーパーホルダーの上部へディスプレイ装置の広告面を傾動可能に設置し、前記トイレ内へ人の入室を感知して広告の送信を指示するセンサーを設置すると共に、動画の一時停止ボタンを設けたことを特徴とするトイレ内広告装置であり、広告は、インターネット又はサーバーを介して各ディスプレイに送信されるものである。
【００１１】
この考案は、予め契約した広告を一定期間毎日広告することを中心的課題とするものであり、一回のトイレ使用中に複数の広告を数回繰り返し見せて、広告効果を向上させるものである。
【００１２】
そこでトイレのある所の広告と、他の会社の広告とについて、区別していないので、設置場所の提供者のメリットが少ない場合もある。例えば、Ａ社のトイレに設置した広告面で、常時Ｂ，Ｃ，Ｄ社の広告を流していたのでは、場所の提供者の共感を得られない場合がある。尤も前記広告の仲間に入って貰えば問題はないが、広告は１ヶ月〜２ヶ月に一回組み換えるので、組み換えの都度編集するのもわずらわしい。このような場合には、広告設置の場所提供者に一定時間（例えば１回のトイレ使用毎に１分程度）の広告ができるようにセットすれば、無作為で施主の広告ができる。この場合には、一般の募集広告と同様に無線送信するので、編集、更改は自由となる。
【００１３】
次に、トイレットペーパーホルダー本体の上部にディスプレイ装置の広告面を設置し、下部にトイレットペーパー収容室を設けたことを特徴とするトイレットペーパーホルダーであり、トイレットペーパーホルダー本体の上部にディスプレイ装置の広告面及び人の入室を感知するセンサーを設置し、下部にトイレットペーパー収容室を設けたことを特徴とするトイレットペーパーホルダーである。
【００１４】
この考案においては、トイレ使用者（特に女性）の関係商品等を広告しようとするもので、当該トイレが百貨店内又はスーパー内にあれば、広告対象品を直ぐ見たり、買ったり出来ることになり、店内放送よりも有効な場合がある。例えばトイレ内では雑念（雑音）が少ないので、必然的に広告への注目度が高くなり、考えるからである。また生理的にも一方で出すので情報が入り易い環境になるということもできる。或いは雑念が生じない場合が多いので、広告が記憶され易くなるなど、広告環境も改善される。
【考案の効果】
【００１５】
即ちこの考案によれば、見易く、頭に入り易い環境の広告であるから広告効果は著しく、かつ広告品を直ぐ見られる環境も好ましいなどの効果がある。
【００１６】
またトイレ内では、トイレットペーパーは必ず使用されるので、広告面は自然に視界に入り、かつ排便環境上雑念がなく、容易に広告の効用を発揮し得る効果がある。
【００１７】
また狭い場所において、ディスプレイの為に特別の空間を用意することはむつかしいが、トイレットペーパーホルダーはトイレ内に必ず設置されていると共に、その構造上ディスプレイ装置を容易に収容し得るスペースがあるなど設置場所としても最良となる。
【００１８】
次にトイレットペーパーホルダーに広告装置をセットすれば、トイレ側の作業又は改造の必要なく、設置及び採用が簡単になるなどの効果もある。
【図面の簡単な説明】
【００１９】
【図１】この考案の実施例の斜視図。
【図２】同じく広告送信のブロック図。
【図３】同じく他の実施例の斜視図。
【考案を実施するための最良の形態】
【００２０】
この考案は、トイレットペーパーホルダーの上部へディスプレイ装置を設置し、広告面が見易くなるように傾斜させる。
【００２１】
またトイレットペーパーホルダーの前面の一部にセンサーを設置し、人が入室した時に、前記センサーが感知してディスプレイを作動させるようにし、人が退室する時にセンサーが再度感知して、前記ディスプレイの作動を中止する。又は一度作動開始したならば、これを５〜１０分間（適宜時間）継続するようにすることもできる。
【００２２】
前記広告は、発信者がサーバー（又はインターネット）を介して各トイレに送信する。前記発信者は、予め送信すべき広告を集め、例えば４種類か、５種類の広告を編集し、一週間〜一ヶ月の適宜の単位期間毎に広告を組み変えて送信する。例えば５分間に４種類の広告を繰り返して送信すると１広告時間は７５秒間となり、広告効果を上げるのは容易である。
【００２３】
例えば、１種類の広告を３０秒送信すれば、４種類で２分間を要する。従って４分〜６分で用を足す人は、２回〜３回広告を見ることになり、記憶させる為の時間としては十分である。
【実施例１】
【００２４】
この考案の実施例を図１に基づいて説明すると、トイレットペーパーホルダー１の上部へディスプレイ面２を斜設したもので、図中３はセンサー、４は操作ボタン、５はトイレットペーパー、１５はトイレットペーパー収容室である。
【００２５】
前記において、この考案の実施者は、広告主６ａ、６ｂ、６ｃ、６ｄから広告を集め、これをパソコン７で編集して、インターネット８を介し、各ディスプレイ９ａ、９ｂ、９ｃ、９ｄに送信する。前記広告は、例えば１社３０秒とすれば２分で１回広告することになるので、６分間で用を足す人は広告を３回見ることになる。通常３回見れば記憶することが多いものであるから、トイレ広告の効果は抜群となる。前記広告は映像と文字又は映像と音声とすることもできる。
【００２６】
前記実施例は、４件の広告主について説明したが、広告の種類に応じ（例えば化粧品、食糧品、健康関連品など）、各セット毎に異なる場所のトイレに送信することもできる。
【００２７】
前記において操作ボタン４を押せば、広告画面の図形又は文字１０を一時的（例えば１０秒〜３０秒）停止させることができる。前記実施例は、ディスプレイ面を上部に設けたが、側壁１ａへ設けることもできる。
【実施例２】
【００２８】
次に図３の実施例は、トイレットペーパーホルダー１の頂部近辺に、メモ用紙１１と、筆記具１２をセットしたもので、図中１３は紙押さえ、１４は筆記具ホルダーである。
【００２９】
この実施例によれば、広告の中で必要と思われた商品をメモしておくことができるので、後に商品を見る際に前記メモした商品を容易、かつ的確に把握することができ、見間違いを少なくすることができる。
【００３０】
前記におけるディスプレイ面の傾斜角度は一定しているが、製造時に決めるので固定型又は可動型とすることができる。
【符号の説明】
【００３１】
１  トイレットペーパーホルダー
２  ディスプレイ面
３  センサー
４  操作ボタン
５  トイレットペーパー
６ａ、６ｂ、６ｃ、６ｄ  広告主
７  パソコン
８  インターネット
９ａ、９ｂ、９ｃ、９ｄ  ディスプレイ
１０  図形又は文字
１１  メモ用紙
【図１】
0003149818.tif 000003
【図２】
0003149818.tif 000004
【図３】
0003149818.tif 000005